(57)【要約】【課題】背景画像と人物画像とを合成した合成画像を生成する際に、背景の中で人物の位置を合わせ易くし、光の当たり方を同じにして自然な合成を行う。【解決手段】電子機器（１００ａ）の制御装置（６）は、狭角カメラ（１）で撮影した狭角画像から人物画像を抽出する人物領域抽出部（６１）と、広角カメラ（２）で撮影した広角画像から背景画像を抽出する背景領域抽出部（６２）と、上記背景画像と上記人物画像とを合成する画像合成部（６３）とを備え、狭角カメラ（１）の撮影方向と広角カメラ（２）の撮影方向とが筐体に対して同じ側を撮影するように設定されている。【選択図】図１
2020031332.tif 000002
【特許請求の範囲】
【請求項１】
少なくとも１つの狭角カメラと、少なくとも１つの広角カメラと、少なくとも１つの制御装置とを備えた電子機器であって、
上記制御装置は、
上記狭角カメラで撮影した狭角画像から人物画像を抽出する人物画像抽出処理と、
上記広角カメラで撮影した画像を背景画像とし、
上記背景画像と上記人物画像とを合成する画像合成処理とを行い、
上記狭角カメラの撮影方向と上記広角カメラの撮影方向とが筐体に対して同じ側を撮影するように設定されていることを特徴とする電子機器。
【請求項２】
少なくとも１つの狭角カメラと、少なくとも１つの広角カメラと、少なくとも１つの制御装置とを備えた電子機器であって、
上記制御装置は、
上記狭角カメラで撮影した狭角画像から人物画像を抽出する人物画像抽出処理と、
上記広角カメラで撮影した広角画像から背景画像を抽出する背景画像抽出処理と、
上記背景画像と上記人物画像とを合成する画像合成処理とを行い、
上記狭角カメラの撮影方向と上記広角カメラの撮影方向とが筐体に対して同じ側を撮影するように設定されていることを特徴とする電子機器。
【請求項３】
上記狭角カメラと上記広角カメラとが、上記電子機器の筐体の同一面上に設けられていることを特徴とする請求項１または２に記載の電子機器。
【請求項４】
上記狭角カメラおよび上記広角カメラのそれぞれが、自動焦点調節機能を有していることを特徴とする請求項１から３までの何れか１項に記載の電子機器。
【請求項５】
上記狭角カメラと上記広角カメラとの間の距離を調整することが可能となっていることを特徴とする請求項１から４までの何れか１項に記載の電子機器。
【請求項６】
上記狭角カメラおよび上記広角カメラのそれぞれの傾きを調整することが可能となっていることを特徴とする請求項１から５までの何れか１項に記載の電子機器。
【請求項７】
少なくとも１つの狭角カメラと、少なくとも１つの広角カメラとを備えた電子機器の制御装置であって、
上記狭角カメラで撮影した狭角画像から人物画像を抽出する人物領域抽出部と、
上記広角カメラで撮影した広角画像から背景画像を抽出する背景領域抽出部と、
上記背景画像と上記人物画像とを合成する画像合成部とを備え、
上記狭角カメラの撮影方向と上記広角カメラの撮影方向とが筐体に対して同じ側を撮影するように設定されていることを特徴とする制御装置。
【請求項８】
請求項７に記載の制御装置としてコンピュータを機能させるための制御プログラムであって、上記人物領域抽出部、上記背景領域抽出部および上記画像合成部としてコンピュータを機能させるための制御プログラム。
【請求項９】
少なくとも１つの狭角カメラと、少なくとも１つの広角カメラとを備えた電子機器の制御方法であって、
上記狭角カメラで撮影した狭角画像から人物画像を抽出する人物領域抽出ステップと、
上記広角カメラで撮影した広角画像から背景画像を抽出する背景領域抽出ステップと、
上記背景画像と上記人物画像とを合成する画像合成ステップとを含み、
上記狭角カメラの撮影方向と上記広角カメラの撮影方向とが筐体に対して同じ側を撮影するように設定されていることを特徴とする制御方法。
【発明の詳細な説明】
【技術分野】
【０００１】
本発明は、電子機器、電子機器の制御装置、制御プログラムおよび制御方法に関する。
【背景技術】
【０００２】
特許文献１には、一人の撮影者が自身と景色とを同時に撮影して各画像を重畳させることにより所望の背景に自身を写し込める画像生成装置が開示されている。この画像生成装置では、スマートフォンの一方側の主面（正面）にはディスプレイと共に第１撮像素子および第１カメラレンズが配置されている。一方、他方側の主面（背面）には第２撮像素子および第２カメラレンズが配置されている。
【０００３】
また、この画像生成装置の制御装置は、人物領域抽出部、人物領域追跡部、重畳画像生成部および表示制御部を備えている。人物領域抽出部は、撮像素子で撮影された正面画像から人物領域の画像を抽出するようになっている。人物領域追跡部は、人物領域の正面画像内での現在位置を追跡するようになっている。重畳画像生成部は、撮像素子で撮影された景色画像に人物領域の画像を重畳して重畳画像を生成するようになっている。表示制御部は、各画像を切り替えてディスプレイに出力するようになっている。
【先行技術文献】
【特許文献】
【０００４】
【特許文献１】特開２０１４−３９１８６号公報（２０１４年２月２７日公開）
【発明の概要】
【発明が解決しようとする課題】
【０００５】
しかしながら、上記従来技術では、背景が存在する方向と対向する方向に存在する人物を撮影するので、背景の中で人物の位置を合わせにくいという問題点がある。また、光の当たり方が異なり、合成画像が不自然になるという問題点がある。
【０００６】
本発明の一態様は、以上の問題点に鑑みて為されたものであり、その目的は、背景画像と人物画像とを合成した合成画像を生成する際に、背景の中で人物の位置を合わせ易くし、光の当たり方を同じにして自然な合成を行うことができる電子機器などを提供することにある。
【課題を解決するための手段】
【０００７】
上記の課題を解決するために、本発明の一態様に係る電子機器は、少なくとも１つの狭角カメラと、少なくとも１つの広角カメラと、少なくとも１つの制御装置とを備えた電子機器であって、上記制御装置は、上記狭角カメラで撮影した狭角画像から人物画像を抽出する人物画像抽出処理と、上記広角カメラで撮影した画像を背景画像とし、上記背景画像と上記人物画像とを合成する画像合成処理とを行い、上記狭角カメラの撮影方向と上記広角カメラの撮影方向とが筐体に対して同じ側を撮影するように設定されている構成である。
【０００８】
上記の課題を解決するために、本発明の一態様に係る電子機器は、少なくとも１つの狭角カメラと、少なくとも１つの広角カメラと、少なくとも１つの制御装置とを備えた電子機器であって、上記制御装置は、上記狭角カメラで撮影した狭角画像から人物画像を抽出する人物画像抽出処理と、上記広角カメラで撮影した広角画像から背景画像を抽出する背景画像抽出処理と、上記背景画像と上記人物画像とを合成する画像合成処理とを行い、上記狭角カメラの撮影方向と上記広角カメラの撮影方向とが筐体に対して同じ側を撮影するように設定されている構成である。
【０００９】
上記の課題を解決するために、本発明の一態様に係る電子機器の制御装置は、少なくとも１つの狭角カメラと、少なくとも１つの広角カメラとを備えた電子機器の制御装置であって、上記狭角カメラで撮影した狭角画像から人物画像を抽出する人物領域抽出部と、上記広角カメラで撮影した広角画像から背景画像を抽出する背景領域抽出部と、上記背景画像と上記人物画像とを合成する画像合成部とを備え、上記狭角カメラの撮影方向と上記広角カメラの撮影方向とが筐体に対して同じ側を撮影するように設定されている構成である。
【００１０】
上記の課題を解決するために、本発明の一態様に係る電子機器の制御方法は、少なくとも１つの狭角カメラと、少なくとも１つの広角カメラとを備えた電子機器の制御方法であって、上記狭角カメラで撮影した狭角画像から人物画像を抽出する人物領域抽出ステップと、上記広角カメラで撮影した広角画像から背景画像を抽出する背景領域抽出ステップと、上記背景画像と上記人物画像とを合成する画像合成処理ステップとを含み、上記狭角カメラの撮影方向と上記広角カメラの撮影方向とが筐体に対して同じ側を撮影するように設定されている方法である。
【発明の効果】
【００１１】
本発明の一態様によれば、背景画像と人物画像とを合成した合成画像を生成する際に、背景の中で人物の位置を合わせ易くし、光の当たり方を同じにして自然な合成を行うことができるという効果を奏する。
【図面の簡単な説明】
【００１２】
【図１】本発明の実施形態１に係る電子機器の概要構成を示すブロック図である。
【図２】上記電子機器の動作の流れを示すフローチャートである。
【図３】狭角画像から人物画像を抽出し、広角画像から背景画像を抽出し、人物画像と背景画像とを合成して合成画像を生成するまでの様子を示す図である。
【図４】本発明の実施形態２に係る電子機器の概要構成を示すブロック図である。
【図５】本発明の実施形態３に係る電子機器の概要構成を示すブロック図である。
【図６】本発明の実施形態４に係る電子機器の概要構成を示すブロック図である。
【図７】上記電子機器の動作の流れを示すフローチャートである。
【図８】狭角画像から人物画像を抽出し、人物画像と広角画像としての背景画像とを合成して合成画像を生成するまでの様子を示す図である。
【発明を実施するための形態】
【００１３】
〔実施形態１〕
以下、本発明の一実施形態について、詳細に説明する。図１に示すように実施形態１に係る電子機器１００ａは、狭角カメラ１、広角カメラ２、ＤＳＰ３、ＤＳＰ４、記憶装置５、制御装置６および表示装置７を備える。
【００１４】
本実施形態の電子機器１００ａは、筐体の同一面上に狭角カメラ１および広角カメラ２を設け、狭角カメラ１で撮影した狭角画像から人物画像を抽出し、広角カメラ２で撮影した広角画像から背景画像を抽出し、上記人物画像と上記背景画像とを合成した合成画像を生成する処理を行う装置である。
【００１５】
狭角カメラ１は、カメラのレンズとして狭角レンズを備えるカメラである。狭角レンズは、カメラの画角が標準よりも狭いレンズである。または、カメラの画角が広角レンズの画角よりも狭いレンズである。狭角カメラ１は、近くの人物にピントを合わせて撮影するのに適している。
【００１６】
広角カメラ２は、カメラのレンズとして広角レンズを備えるカメラである。広角レンズは、カメラの画角が標準よりも広いレンズである。または、カメラの画角が狭角レンズの画角よりも広いレンズである。広角カメラ２は、遠くの広い範囲の背景にピントを合わせて撮影するのに適している。
【００１７】
なお、狭角カメラ１の撮影方向と広角カメラ２の撮影方向とが筐体に対して同じ側を撮影するように設定されていることが好ましい。例えば、狭角カメラ１および広角カメラ２は、それぞれ、電子機器１００ａの筐体の同一面上に設けられていることが好ましい。これにより、背景と同じ方向にいる人物を撮影するので、背景の中で人物の位置を合わせ易くすることができ、光の当たり方も同じで自然な合成を行うことができる。
【００１８】
ＤＳＰ（Digital Signal Processor）３，４は、デジタル信号処理に特化したマイクロプロセッサであり、一般にリアルタイムコンピューティングで使用される。記憶装置５には、狭角カメラ１で撮影した狭角画像、および広角カメラ２で撮影した広角画像が記憶される。
【００１９】
制御装置６は、電子機器１００ａの各部を統括的に制御する装置であり、人物領域抽出部６１、背景領域抽出部６２、画像合成部６３および表示制御部６４を備える。なお、狭角カメラ１、広角カメラ２および制御装置６のそれぞれは、単一であっても良いし、複数であっても良い。
【００２０】
人物領域抽出部６１は、狭角カメラ１で撮影した狭角画像から人物画像を抽出する。より具体的には、人物領域抽出部６１は、画像認識により、人物のエッジ部分を抽出し、そのデータから人物画像を抽出する。
【００２１】
また、背景領域抽出部６２は、広角カメラ２で撮影した広角画像から背景画像を抽出する。より具体的には、背景領域抽出部６２は、画像認識により、背景のエッジ部分を抽出し、そのデータから背景画像を抽出する。あるいは、広角画像から人物のエッジ部分を抽出し、当該画像データから人物画像の領域を抜き取った画像データを背景画像とする処理でもよい。
【００２２】
また、画像合成部６３は、上記背景画像と上記人物画像とを合成して合成画像を生成する。表示制御部６４は、画像合成部６３が生成した合成画像を表示装置７に表示する。表示装置７は、表示制御部６４の制御に従って合成画像を表示する。また、表示制御部６４は、合成前の上記背景画像と上記人物画像とを表示装置７にプレビュー画像として表示させることもできる。また、画像合成部６３は、ユーザが上記プレビュー画像を見ながら、上記背景画像と上記人物画像との位置を調整して合成画像を生成することが可能になっている。
【００２３】
上記構成によれば、狭角カメラ１の撮影方向と広角カメラ２の撮影方向とが筐体に対して同じ側を撮影するように設定されている。このため、背景画像と人物画像とを合成した合成画像を生成する際に、背景の中で人物の位置を合わせ易くし、光の当たり方を同じにして自然な合成を行うことができる。
【００２４】
次に、図２に示すフローチャートに基づき、電子機器１００ａの動作について説明する。ステップＳ（以下、「ステップ」は省略する）１０１では、制御装置６が、狭角カメラ１を起動して、Ｓ１０２に進む。
【００２５】
Ｓ１０２では、狭角カメラ１にて狭角画像を撮影してＳ１０３に進む。図３の（ａ）は、狭角カメラ１にて撮影した狭角画像の一例を示す。
【００２６】
Ｓ１０３では、ＤＳＰ３が、狭角カメラ１が撮影した狭角画像（静止画または動画）を記憶装置５に保存させて、Ｓ１０５に進む。
【００２７】
Ｓ１０５では、人物領域抽出部６１が、狭角画像から人物画像を抽出して（人物領域抽出ステップ、人物画像抽出処理）、Ｓ１１０に進む。図３の（ｂ）は、狭角画像から人物画像を抽出した画像データの一例を示す。
【００２８】
ステップＳ１０６では、制御装置６が、広角カメラ２を起動して、Ｓ１０７に進む。Ｓ１０７では、広角カメラ２にて広角画像を撮影してＳ１０８に進む。図３の（ｃ）は、広角カメラ２にて撮影した広角画像の一例を示す。
【００２９】
Ｓ１０８では、ＤＳＰ４が、広角カメラ２が撮影した広角画像（静止画または動画）を記憶装置５に保存させて、Ｓ１０９に進む。
【００３０】
Ｓ１０９では、背景領域抽出部６２が、広角画像から背景画像を抽出して（背景領域抽出ステップ、背景画像抽出処理）、Ｓ１１０に進む。図３の（ｄ）は、広角画像から背景画像を抽出した画像データの一例を示す。同図に示すように、広角カメラ２で撮影した背景画像で人物と背景が重なった部分は、実際には空白部分になる（背景画像から人物画像が抜き取られる）。
【００３１】
Ｓ１１０では、画像合成部６３が、上記背景画像と上記人物画像とを合成して合成画像を生成して（画像合成ステップ、画像合成処理）、Ｓ１１１に進む。図３の（ｅ）は、図３の（ｂ）に示す人物画像と、図３の（ｄ）に示す背景画像とを合成して生成した合成画像の一例である。背景画像と人物画像とを合成する際、狭角カメラ１で抽出した人物画像を背景画像の空白部分を含めた画像領域に重ね合わせることにより、空白部分を埋める。
【００３２】
Ｓ１１１では、表示制御部６４が、表示装置７に合成画像（静止画または動画）を表示する。なお、表示装置７に表示したプレビュー画像でリアルタイムに位置を確認して、人物と背景の位置を合わせても良い。上記の位置合わせは、広角カメラ２で撮影した画像で人物と背景が重なった部分の空白を埋めることができる範囲で、人物画像を重畳する位置を調整する。
【００３３】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３４】
図４に示すように、本発明の実施形態２に係る電子機器１００ｂは、電子機器１００ａの狭角カメラ１および広角カメラ２の代わりに、狭角ＡＦカメラ（狭角カメラ）１ａおよび広角ＡＦカメラ（広角カメラ）２ａを備えている点で実施形態１の電子機器１００ａと異なっている。
【００３５】
狭角ＡＦカメラ１ａは、カメラのレンズとして狭角レンズを備えるとともに自動焦点調節機能を有するカメラである。狭角ＡＦカメラ１ａは、ＶＣＭ（Voice Coil Motor）等、レンズを動かす機構（アクチュエータ）により自動でピント合わせを行うＡＦ用の駆動機構を備えている。
【００３６】
広角ＡＦカメラ２ａは、カメラのレンズとして広角レンズを備えるとともに自動焦点調節機能を有するカメラである。広角ＡＦカメラ２ａは、ＶＣＭ等、レンズを動かす機構（アクチュエータ）により自動でピント合わせを行うＡＦ用の駆動機構を備えている。
【００３７】
広角ＡＦカメラ２ａは、レンズの位置を調整することにより被写体（背景）のピントを合わせたり、ぼかしたりすることができる。これにより、背景と人物とにしっかりピントが合った合成画像や、背景を意図的にぼかした臨場感のある合成画像を生成することができる。
【００３８】
本実施形態の電子機器１００ｂの動作は、実施形態１の狭角カメラ１および広角カメラ２のそれぞれが、狭角ＡＦカメラ１ａおよび広角ＡＦカメラ２ａに置き換わっていること以外は、図２に示すフローチャートに示す動作と同様である。
【００３９】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００４０】
図５に示すように、本発明の実施形態２に係る電子機器１００ｃは、電子機器１００ａの狭角カメラ１および広角カメラ２の代わりに、狭角カメラ１ｂおよび広角カメラ２ｂを備えている点で実施形態１の電子機器１００ａと異なっている。
【００４１】
同図に示すように、本実施形態の電子機器１００ｃでは、狭角カメラ１ｂと広角カメラ２ｂとの間の距離を調整したり、狭角カメラ１ｂおよび広角カメラ２ｂのそれぞれの傾きを調整したりすることが可能となっている。本構成は予め狭角カメラ１ｂと広角カメラ２ｂの本体取り付け部にチルト機構やスライド機構を備えることで可能となる。あるいは、狭角カメラ１ｂと広角カメラ２ｂのいずれか一方、あるいは両方を外付けカメラの構成とし、当該外付けカメラの本体取り付け部に上記チルト機構やスライド機構を設けても良い。
【００４２】
上記構成によれば、２つのカメラの距離を離すことにより、背景を隠さないように撮影することができる。これにより、背景と人物とが重ならないように映すことができ、臨場感のある合成画像を生成することができる。
【００４３】
また、上記構成によれば、２つのカメラの角度をずらすことにより、背景を隠さないように撮影することができる。これにより、背景と人物とが重ならないように映すことができ、臨場感のある合成画像を生成することができる。
【００４４】
電子機器１００ｃがスマートフォンである場合、２つのカメラの距離は機種によって、様々であるので、２つのカメラの間の距離を離すことが可能である。また、電子機器１００ｃがスマートフォンである場合、２つのカメラの角度をずらした状態で２つのカメラを取り付けることも可能である。
【００４５】
また、スマートフォンに搭載されている狭角カメラ１ｂ（または広角カメラ２ｂ）とスマートフォンに接続できる外付けの広角カメラ２ｂ（または狭角カメラ１ｂ）を用いることにより、２つのカメラの角度をずらしたり、距離を離したりすることが可能である。
【００４６】
本実施形態の電子機器１００ｃの動作は、実施形態１の狭角カメラ１および広角カメラ２のそれぞれが、狭角カメラ１ｂおよび広角カメラ２ｂに置き換わっていること以外は、図２に示すフローチャートに示す動作と同様である。
【００４７】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００４８】
本実施形態の電子機器１００ｄは、筐体の同一面上に狭角カメラ１および広角カメラ２を設け、狭角カメラ１で撮影した狭角画像から人物画像を抽出し、上記人物画像と、広角カメラ２で撮影した広角画像としての背景画像とを合成した合成画像を生成する処理を行う装置である。また、本実施形態の制御装置６ａでは、背景領域抽出部６２が、背景画像撮影部６２ａに置換されている点で、実施形態１の制御装置６と異なっている。背景画像撮影部６２ａは、広角カメラ２を用いて、広角画像としての背景画像を撮影する。
【００４９】
また、本実施形態の電子機器１００ｄでは、背景画像から人物画像を抜くことなく、そのまま、狭角画像から切り出した人物画像と合成する点で、実施形態１の電子機器１００ａと異なっている。
【００５０】
次に、図７に示すフローチャートに基づき、電子機器１００ｄの動作について説明する。図７に示すフローチャートは、Ｓ１０８とＳ１１０との間のＳ１０９が省略されている点で、図２に示すフローチャートと異なる。
【００５１】
Ｓ１１０では、画像合成部６３が、広角カメラ２で撮影した広角画像としての背景画像と、人物領域抽出部６１で狭角画像から抽出した人物画像と、を合成して合成画像を生成して、Ｓ１１１に進む。図８の（ｄ）は、図８の（ｂ）に示す人物画像と、図８の（ｃ）に示す背景画像とを合成して生成した合成画像の一例である。
【００５２】
上記構成によれば、狭角カメラ１の撮影方向と広角カメラ２の撮影方向とが筐体に対して同じ側を撮影するように設定されている。このため、背景画像と人物画像とを合成した合成画像を生成する際に、背景の中で人物の位置を合わせ易くし、光の当たり方を同じにして自然な合成を行うことができる。
【００５３】
〔変形例〕
なお、上述した形態と同様に、本実施形態の電子機器１００ｄにおいて、狭角カメラ１と広角カメラ２とが、電子機器１００ｄの筐体の同一面上に設けられていても良い。また、本実施形態の電子機器１００ｄにおいて、狭角カメラ１および広角カメラ２のそれぞれが、自動焦点調節機能を有していても良い。
【００５４】
また、本実施形態の電子機器１００ｄにおいて、狭角カメラ１と広角カメラ２との間の距離を調整することが可能となっていても良い。また、本実施形態の電子機器１００ｄにおいて、狭角カメラ１および広角カメラ２のそれぞれの傾きを調整することが可能となっていても良い。
【００５５】
〔ソフトウェアによる実現例〕
電子機器１００ａ〜１００ｄの制御装置６の制御ブロック（特に人物領域抽出部６１、背景領域抽出部６２、背景画像撮影部６２ａ、および画像合成部６３）は、集積回路（ＩＣチップ）等に形成された論理回路（ハードウェア）によって実現してもよいし、ソフトウェアによって実現してもよい。
【００５６】
後者の場合、制御装置６は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５７】
〔まとめ〕
本発明の態様１に係る電子機器（１００ｄ）は、少なくとも１つの狭角カメラ（１）と、少なくとも１つの広角カメラ（２）と、少なくとも１つの制御装置（６）とを備えた電子機器であって、上記制御装置は、上記狭角カメラで撮影した狭角画像から人物画像を抽出する人物画像抽出処理と、上記広角カメラで撮影した画像を背景画像とし、上記背景画像と上記人物画像とを合成する画像合成処理とを行い、上記狭角カメラの撮影方向と上記広角カメラの撮影方向とが筐体に対して同じ側を撮影するように設定されている構成である。
【００５８】
上記構成によれば、狭角カメラの撮影方向と広角カメラの撮影方向とが筐体に対して同じ側を撮影するように設定されている。このため、背景画像と人物画像とを合成した合成画像を生成する際に、背景の中で人物の位置を合わせ易くし、光の当たり方を同じにして自然な合成を行うことができる。
【００５９】
本発明の態様２に係る電子機器（１００ａ〜１００ｃ）は、少なくとも１つの狭角カメラ（１，１ａ，１ｂ）と、少なくとも１つの広角カメラ（２，２ａ，２ｂ）と、少なくとも１つの制御装置（６）とを備えた電子機器であって、上記制御装置は、上記狭角カメラで撮影した狭角画像から人物画像を抽出する人物画像抽出処理と、上記広角カメラで撮影した広角画像から背景画像を抽出する背景画像抽出処理と、上記背景画像と上記人物画像とを合成する画像合成処理とを行い、上記狭角カメラの撮影方向と上記広角カメラの撮影方向とが筐体に対して同じ側を撮影するように設定されている構成である。
【００６０】
上記構成によれば、狭角カメラの撮影方向と広角カメラの撮影方向とが筐体に対して同じ側を撮影するように設定されている。このため、背景画像と人物画像とを合成した合成画像を生成する際に、背景の中で人物の位置を合わせ易くし、光の当たり方を同じにして自然な合成を行うことができる。
【００６１】
本発明の態様３に係る電子機器は、上記態様１または２において、上記狭角カメラと上記広角カメラとが、上記電子機器の筐体の同一面上に設けられていることが好ましい。上記構成によれば、背景と同じ方向にいる人物を撮影するので、背景の中で人物の位置を合わせ易くすることができ、光の当たり方も同じで自然な合成を行うことができる。
【００６２】
本発明の態様４に係る電子機器は、上記態様１〜３の何れかにおいて、上記狭角カメラおよび上記広角カメラのそれぞれが、自動焦点調節機能を有していても良い。これにより、背景と人物とにしっかりピントが合った合成画像や、背景を意図的にぼかした臨場感のある合成画像を生成することができる。
【００６３】
本発明の態様５に係る電子機器は、上記態様１〜４の何れかにおいて、上記狭角カメラと上記広角カメラとの間の距離を調整することが可能となっていても良い。上記構成によれば、２つのカメラの距離を離すことにより、背景を隠さないように撮影することができる。これにより、背景と人物とが重ならないように映すことができ、臨場感のある合成画像を生成することができる。
【００６４】
本発明の態様６に係る電子機器は、上記態様１〜５の何れかにおいて、上記狭角カメラおよび上記広角カメラのそれぞれの傾きを調整することが可能となっていても良い。上記構成によれば、２つのカメラの角度をずらすことにより、背景を隠さないように撮影することができる。これにより、背景と人物とが重ならないように映すことができ、臨場感のある合成画像を生成することができる。
【００６５】
本発明の態様７に係る電子機器の制御装置は、少なくとも１つの狭角カメラ（１）と、少なくとも１つの広角カメラ（２）とを備えた電子機器（１００ａ〜１００ｃ）の制御装置（６）であって、上記狭角カメラで撮影した狭角画像から人物画像を抽出する人物領域抽出部（６１）と、上記広角カメラで撮影した広角画像から背景画像を抽出する背景領域抽出部（６２）と、上記背景画像と上記人物画像とを合成する画像合成部（６３）とを備え、上記狭角カメラの撮影方向と上記広角カメラの撮影方向とが筐体に対して同じ側を撮影するように設定されている構成である。上記構成によれば、上記態様２と同様の効果を得ることができる。
【００６６】
本発明の態様８に係る電子機器の制御方法は、少なくとも１つの狭角カメラと、少なくとも１つの広角カメラとを備えた電子機器の制御方法であって、上記狭角カメラで撮影した狭角画像から人物画像を抽出する人物領域抽出ステップと、上記広角カメラで撮影した広角画像から背景画像を抽出する背景領域抽出ステップと、上記背景画像と上記人物画像とを合成する画像合成ステップとを含み、上記狭角カメラの撮影方向と上記広角カメラの撮影方向とが筐体に対して同じ側を撮影するように設定されている方法である。上記方法によれば、上記態様２と同様の効果を得ることができる。
【００６７】
本発明の各態様に係る電子機器の制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００６８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６９】
１，１ｂ  狭角カメラ
１ａ  狭角ＡＦカメラ（狭角カメラ）
２，２ｂ  広角カメラ
２ａ  広角ＡＦカメラ（広角カメラ）
３，４  ＤＳＰ
５  記憶装置
６，６ａ  制御装置
７  表示装置
６１  人物領域抽出部
６２  背景領域抽出部
６２ａ  背景画像撮影部
６３  画像合成部
６４  表示制御部
１００ａ〜１００ｄ  電子機器
【図１】
2020031332.tif 000003
【図２】
2020031332.tif 000004
【図３】
2020031332.tif 000005
【図４】
2020031332.tif 000006
【図５】
2020031332.tif 000007
【図６】
2020031332.tif 000008
【図７】
2020031332.tif 000009
【図８】
2020031332.tif 000010